(57)【要約】【課題】本発明は、従来に比べて美観を向上させることが可能なキャッシュドロワーを提供することを目的とする。【解決手段】本発明は、キャッシュドロワーであって、現金を収納する引き出しと、引き出しを出し入れ可能な状態で収容する本体と、本体の側面に設けられ、物品を収納可能な空間が形成されたバックカバーと、本体及びバックカバーと重なるように配置された天板と、天板のバックカバーと対向する位置に着脱可能に配置されたコードカバーと、を備える、ことを特徴とする。【選択図】図１
2020144487.tif 000002
【特許請求の範囲】
【請求項１】
現金を収納する引き出しと、
前記引き出しを出し入れ可能な状態で収容する本体と、
前記本体の側面に設けられ、物品を収納可能な空間が形成されたバックカバーと、
前記本体及び前記バックカバーと重なるように配置された天板と、
前記天板の前記バックカバーと対向する位置に着脱可能に配置されたコードカバーと、を備える、
ことを特徴とするキャッシュドロワー。
【請求項２】
前記コードカバーとは重ならないように、前記天板の上面部に配置されたプレートをさらに有する、請求項１に記載のキャッシュドロワー。
【請求項３】
前記コードカバーの上面には、パネルを立てるためのパネル立て部が設けられている、請求項１または２に記載のキャッシュドロワー。
【請求項４】
前記パネル立て部は、前記コードカバーとは着脱可能に構成されている、請求項３に記載のキャッシュドロワー。
【請求項５】
前記パネル立て部は、ゴム部材により構成される、請求項３または４に記載のキャッシュドロワー。
【発明の詳細な説明】
【技術分野】
【０００１】
本発明は、キャッシュドロワーに関する。
【背景技術】
【０００２】
キャッシュドロワーは、キャッシュレジスタやＰＯＳ装置に組み込まれて使用されている（例えば、特許文献１）。近年、タブレット端末に従来のＰＯＳレジスタの機能を備えたアプリをインストールしたタブレットＰＯＳが普及している。
【０００３】
タブレットＰＯＳにキャッシュドロワーを組み合わせた場合、キャッシュドロワーの背面側に、周辺機器のコード類が配置される。しかしながら、従来のキャッシュドロワーは周辺機器のコード類を収納する機構を備えておらず、美観が損なわれるという問題があった。
【先行技術文献】
【特許文献】
【０００４】
【特許文献１】特開２０１５−１２１８５９号公報
【発明の概要】
【発明が解決しようとする課題】
【０００５】
本発明は、従来に比べて美観を向上させることが可能なキャッシュドロワーを提供することを目的とする。
【課題を解決するための手段】
【０００６】
本発明は、キャッシュドロワーであって、現金を収納する引き出しと、引き出しを出し入れ可能な状態で収容する本体と、本体の側面に設けられ、物品を収納可能な空間が形成されたバックカバーと、本体及びバックカバーと重なるように配置された天板と、天板のバックカバーと対向する位置に着脱可能に配置されたコードカバーと、を備える、ことを特徴とする。
【発明の効果】
【０００７】
本開示の実施例に係るキャッシュドロワーによれば、従来に比べて美観を向上させることができる。
【図面の簡単な説明】
【０００８】
【図１】本開示の実施例１に係るキャッシュドロワーの斜視図である。
【図２】本開示の実施例１に係るキャッシュドロワーであって、引き出しを引き出した状態を示す斜視図である。
【図３】図１のＡ−Ａ線での断面斜視図である。
【図４】本開示の実施例１に係るキャッシュドロワーであって、バックカバーを本体から分離した状態を示す斜視図である。
【図５】本開示の実施例２に係るキャッシュドロワーの斜視図である。
【図６】本開示の実施例３に係るキャッシュドロワーの斜視図である。
【図７】本開示の実施例４に係るキャッシュドロワーの斜視図である。
【発明を実施するための形態】
【０００９】
以下、図面を参照して、本発明に係るキャッシュドロワーについて説明する。ただし、本発明の技術的範囲はそれらの実施の形態には限定されず、特許請求の範囲に記載された発明とその均等物に及ぶ点に留意されたい。
【００１０】
［実施例１］
図１に、本開示の実施例１に係るキャッシュドロワーの斜視図を示す。実施例１に係るキャッシュドロワー１０１は、引き出し１と、本体２と、バックカバー３と、天板４と、コードカバー５と、を備える。
【００１１】
引き出し１は、現金を収納する機能を有する。引き出し１は長手方向に引き出すことができる。図２に、本開示の実施例１に係るキャッシュドロワーであって、引き出しを引き出した状態を示す斜視図を示す。引き出し１を引き出すと、現金収納部１２が露出する。現金収納部１２は、複数種類の硬貨を収納できるように、隔壁で隔てられた複数個の収納容器を備えていることが好ましい。
【００１２】
図３に、図１のＡ−Ａ線での断面斜視図を示す。現金収納部１２は、着脱可能となっていることが好ましい。現金収納部１２を着脱可能とすることにより、現金収納部１２の底面側に設けたトレー１２１に物品を収納することができる。
【００１３】
引き出し１には紙幣収納部１２２を設けるようにしてもよい。また、紙幣収納部１２２には、紙幣等を押えるために紙幣押さえ部１２３を備えていることが好ましい。
【００１４】
引き出し１には、クーポンや金券等を挿入するためのスリット１１を設けるようにしてもよい。スリット１１に挿入された金券等は、トレー１２１に収納することができる。
【００１５】
また、引き出し１には、引き出し１を施錠するための鍵穴１３を設けるようにしてもよい。
【００１６】
本体２は、引き出し１を出し入れ可能な状態で収容する。本体２の内部には、引き出し１の背面１２ａと対向する位置に隔壁１ａが設けられており、引き出し１を収納する領域を画定している。
【００１７】
また、隔壁１ａと引き出し１の背面１２ａとの間に付勢部材１ｂを設けるようにしてもよい。引き出し１を本体２に収納した状態では付勢部材１ｂは縮んだ状態となっており、引き出し１を引き出す際に付勢部材１ｂが伸びることにより引き出し１を付勢することができる。
【００１８】
本体２は、本体２の底面部に設けられた支持部１ｃ、１ｄにより支持されるようにしてもよい。
【００１９】
バックカバー３は、本体２の側面に設けられ、物品を収納可能な空間が形成されている。図４に、本開示の実施例１に係るキャッシュドロワーであって、バックカバーを本体から分離した状態を示す斜視図を示す。バックカバー３は、物品を載置するための台座３１を備えていることが好ましい。台座３１上に例えば、キャッシュドロワー１０１と組み合わせて使用する周辺機器のＡＣアダプタ１０やコード類等の物品を収納することができる。ただし、このような例には限られず、バックカバー３にキャッシュドロワー１０１に電力を供給するためのコード類を収納するようにしてもよい。また、台座の代わりに収納物固定用バーでＡＣアダプタ１０等の物品を固定するようにしてもよい。
【００２０】
バックカバー３は、本体２と着脱可能に構成されていることが好ましい。バックカバー３を本体２と着脱可能とすることにより、ＡＣアダプタ１０やコード類のレイアウト変更等に応じて、バックカバー３に収納する物品を容易に変更することができる。
【００２１】
バックカバー３は、バックカバー３内部に収納したコード類を外部に引き出すための切り欠き（３２ａ、３２ｂ）を設けるようにしてもよい。図４には、切り欠き（３２ａ、３２ｂ）をバックカバー３の両端に２つ設けた構成を示している。このような構成とすることにより、コード類を引き出す方向の自由度を高めることができる。また、図４には、切り欠きを２つ設けた例を示したが、このような例には限られず、切り欠きの数は１つでもよいし、３つ以上であってもよい。
【００２２】
バックカバー３の台座３１と本体２との間にはスリット状の隙間を設けるようにしてもよい。このような構成により、コードの移動を容易に行うことができる。
【００２３】
バックカバー３にコードの太さより大きいコーナーＲ部分を設け、そのコーナーＲ部分に切り欠きを設けるようにしてもよい。このような構成とすることで、側面へも背面へもコードを引き出すことができる。コードが硬い場合、曲げＲが大きいため、収納スペースに食い込みやすいという問題があるが、切り欠きを設けることにより、コードの曲げＲ部分をバックカバー３の外部に位置するようにすることができるため、収納スペースを広くすることができる。また、この切り欠きの代わりに、あるいはこの切り欠きに加えて、バックカバー３の背面側に長い切り欠きを設けてもよい。長い切り欠きを設けることにより、太いコードを背面側に引き出すことができる。
【００２４】
天板４は、本体２及びバックカバー３と重なるように配置されている。そのため、本体２とバックカバー３との間に継ぎ目が形成されないため、美観を損なうことがない。天板４は平坦な上面部４１を備えていることが好ましい。上面部４１には、キャッシュレジスタやタブレット等の機器を載置することができる。また、これらの機器を安定して載置するために、上面部４１は摩擦係数が高い材質で構成されていることが好ましい。
【００２５】
コードカバー５は、天板４のバックカバー３と対向する位置に着脱可能に配置されている。コードカバー５を天板４から着脱可能な構造とすることにより、コードカバー５を外観や素材が異なる種々のコードカバーに変更することができる。コードカバー５は、天板４の上面部４１に設けられた開口部９に嵌合する。開口部９にはコードカバー５の端部と当接する位置にカバー支持部９１が設けられていることが好ましい。
【００２６】
コードカバー５は開口部５ａを備えており、開口部５ａに手を差し込むことにより、コードカバー５を天板４から容易に着脱可能とすることができる。一般的にキャッシュドロワー１０１やキャッシュドロワー１０１と組み合わせて使用する周辺機器のコード類は長さに余裕を持って設計されている。従って、コード類の余った部分（余長）が生じやすい。本開示の実施例１に係るキャッシュドロワー１０１は、コードカバー５を着脱可能としているため、コードカバー５を分離した状態で余長部分をバックカバー３によって形成された空間に収納することができる。また、余長部分を収納した後に、コードカバー５を天板４に嵌め込むことにより、余長部分を隠すことができ、美観が損なわれることを防ぐことができる。
【００２７】
以上説明したように、本開示の実施例１に係るキャッシュドロワーによれば、物品を収納可能な空間が形成されたバックカバーを備えているため、従来に比べて美観を向上させることができる。
【００２８】
［実施例２］
次に、本開示の実施例２に係るキャッシュドロワーについて説明する。実施例２に係るキャッシュドロワー１０２が、実施例１に係るキャッシュドロワー１０１と異なっている点は、コードカバー５とは重ならないように、天板４の上面部４１に配置されたプレート６をさらに有する点である。実施例２に係るキャッシュドロワー１０２のその他の構成は、実施例１に係るキャッシュドロワー１０１における構成と同様であるので詳細な説明は省略する。
【００２９】
図５に、本開示の実施例２に係るキャッシュドロワーの斜視図を示す。プレート６は、天板４の上面部４１に形成された凹部４２に嵌合するようにしてもよい。また、プレート６を凹部４２に嵌合させることにより、プレート６を天板４上に保持することができる。
【００３０】
また、プレート６を凹部４２より一回り小さい形状とすることが好ましい。このような構成とすることにより、プレート６を凹部４２から容易に着脱することができる。
【００３１】
プレート６の厚さは、凹部４２の深さよりも厚いことが好ましい。このようにすることで、プレート６を凹部４２から取り外す作業を容易に行うことができる。
【００３２】
凹部４２にプレート６を配置しない場合は、天板４の凹部４２をトレーのように利用することができる。あるいは、プレート６をコイントレーやペン立て等のアタッチメントに変更するようにしてもよい。
【００３３】
プレート６に装飾機能を有する部材を用いるようにしてもよい。例えば、木目調のプレートにより高級感を演出するようにしたり、企業のコーポレートカラーによる統一感を演出したりするようにしてもよい。
【００３４】
プレート６を機能性材料で構成するようにしてもよい。機能性材料として、摩擦係数が大きい材料や、抗菌機能を有する材料を用いることができる。
【００３５】
プレート６を透明な素材で構成するようにしてもよい。この場合、透明なプレート６と凹部４２との間に、情報シート６１を挟み込み、固定するようにしてもよい。透明なプレート６を介して外部から情報シート６１を視認することができる。また、情報シート６１を変更することにより、デザインバリエーションの展開を容易に行うことができる。
【００３６】
さらに、プレート６を機能性材料であって、かつ透明な材料で構成するようにしてもよい。
【００３７】
以上説明したように、実施例２に係るキャッシュドロワーによれば、天板の上面部に配置された透明プレートを設けることにより、キャッシュドロワーの機能をさらに向上させることができる。
【００３８】
［実施例３］
次に、本開示の実施例３に係るキャッシュドロワーについて説明する。実施例３に係るキャッシュドロワー１０３が、実施例１に係るキャッシュドロワー１０１と異なっている点は、コードカバー５１の上面には、パネル７１を立てるためのパネル立て部７が設けられている点である。実施例３に係るキャッシュドロワー１０３のその他の構成は、実施例１に係るキャッシュドロワー１０１における構成と同様であるので詳細な説明は省略する。
【００３９】
図６に、本開示の実施例３に係るキャッシュドロワーの斜視図を示す。パネル立て部７は、細長い溝を有し、パネル７１を挿入・固定可能な形状となっていることが好ましい。パネル７１には、広告宣伝機能を備えた掲示物や、いわゆるＰＯＰパネル、タブレット端末を用いることができる。キャッシュドロワー１０３の背面側に位置する観察者からパネル７１を観察した場合の視認性を向上させるためには、パネル７１は鉛直方向に立てられているか、キャッシュドロワー１０３の引き出し1側に傾斜していることが好ましい。
【００４０】
また、パネル７１をパネル立て部７に配置した場合、キャッシュドロワー１０３の背面側に位置する観察者から見てパネル７１の陰になる部分に周辺機器を配置することにより、パネル７１で周辺機器を隠すことができ、美観が損なわれるのを防止することができる。
【００４１】
パネル立て部７は、コードカバー５１とは着脱可能に構成されていることが好ましい。パネル立て部７をコードカバー５１から着脱可能な構造とすることにより、パネル立て部７を外観や素材が異なる種々のパネル立て部に変更することができる。
【００４２】
コードカバー５１の材質として、プラスチックやゴム等を用いることができ、二体成形による軟質部材のコーティングを施すようにしてもよい。また、パネル立て部７は、ゴム部材により構成されるようにしてもよい。このような構成とすることにより、パネル７１を傷つけることなく扱うことができる。
【００４３】
［実施例４］
次に、本開示の実施例４に係るキャッシュドロワーについて説明する。実施例４に係るキャッシュドロワー１０４が、実施例１に係るキャッシュドロワー１０１と異なっている点は、コードカバー５２が反転可能な構造を有している点である。実施例４に係るキャッシュドロワー１０４のその他の構成は、実施例１に係るキャッシュドロワー１０１における構成と同様であるので詳細な説明は省略する。
【００４４】
図７に、本開示の実施例４に係るキャッシュドロワーの斜視図を示す。コードカバー５２はパネル７１を支持するパネル支持部８を設けるようにしてもよい。また、コードカバー５２の反転させた場合の形状は、図７に示した形状とは異なる形状、例えば、図１に示したコードカバー５のような表面が平坦な形状であってもよい。このような構成とすることにより、パネル７１を立てない場合には、コードカバー５２を反転させて図１に示すような表面が平坦な面を表側にして開口部９に配置することようにしてもよい。このような構成とすることにより、パネル７１を立てない場合に、平坦な面を表側に配置することにより、美観が損なわれることを防止することができる。また、平坦な面を表側に配置することにより、コードカバー５２の上に周辺機器等を配置することができるため、天板４の上面部を有効に利用することができる。
【符号の説明】
【００４５】
１    引き出し
２    本体
３    バックカバー
３１    台座
４    天板
４１    上面部
４２    凹部
５    コードカバー
６    プレート
６１    情報シート
７    パネル立て部
７１    パネル
８    パネル支持部
９    開口部
９１    カバー支持部
１０    ＡＣアダプタ
１１    スリット
１２    現金収納部
１２１    トレー
１２２    紙幣収納部
１２３    紙幣押さえ部
１３    鍵穴
【図１】
2020144487.tif 000003
【図２】
2020144487.tif 000004
【図３】
2020144487.tif 000005
【図４】
2020144487.tif 000006
【図５】
2020144487.tif 000007
【図６】
2020144487.tif 000008
【図７】
2020144487.tif 000009